(57)【特許請求の範囲】
【請求項１】
複数の記録層を有する記録媒体に光ビームを照射し、前記記録層によって反射された反射光を導く光学系の光路中において生じた収差を補正する収差補正ユニットであって、
第１の配向方向を有し、互いに対向する第１の電極層間に設けられて前記第１の電極層への電圧の印加により通過する光に対して位相変化を生じせしめる液晶を含む第１の液晶素子と、
前記第１の配向方向と略直交する第２の配向方向を有し、互いに対向する第２の電極層間に設けられて前記第２の電極層への電圧の印加により通過する光に対して位相変化を生じせしめる液晶を含む第２の液晶素子と、
前記光ビームの光源と前記第１及び第２の液晶素子との間の光路中に配されて前記光ビームの偏光方向を前記第１及び第２の配向方向間で切り替える偏光方向変更素子と、を有し、
前記第１の液晶素子は前記複数の記録層のうち１の記録層の反射により生じる第１の収差を補正する位相変化を透過光に生じせしめ、前記第２の液晶素子は前記１の記録層とは異なる記録層の反射により生じる第２の収差を補正する位相変化を透過光に生じせしめ、前記偏光方向変更素子の応答速度は、前記第１及び第２の液晶素子の応答速度よりも高速であることを特徴とする収差補正ユニット。
【請求項２】
前記偏光方向変更素子は、前記第１の配向方向及び前記第２の配向方向のいずれかと略同一方向になるように前記光ビームの偏光方向を変更せしめることを特徴とする請求項１記載の収差補正ユニット。
【請求項３】
前記偏光方向変更素子は強誘電体を含み、前記強誘電体への印加電圧の変化に応じて前記光ビームの偏光方向が変更されることを特徴とする請求項１又は２に記載の収差補正ユニット。
【請求項４】
前記互いに対向する第１の電極層のうち少なくとも１の電極層は前記第１の収差を補正するように分割され、前記互いに対向する第２の電極層のうち少なくとも１の電極層は前記第２の収差を補正するように分割されたことを特徴とする請求項１ないし３のいずれか１に記載の収差補正ユニット。
【請求項５】
前記第１の液晶素子及び前記第２の液晶素子は、それぞれ前記複数の記録層のうち１の記録層により生じる第１の収差及び他の１の記録層により生じる第２の収差を補正する位相変化を透過光に生じせしめることを特徴とする請求項１ないし４のいずれか１に記載の収差補正ユニット。
【請求項６】
請求項１ないし５のいずれか１に記載の収差補正ユニットを備えた光ピックアップ装置であって、
前記光ビームを発する光源と、前記複数の記録層によって反射され前記収差補正ユニットを透過した光ビームを検出する光検出器と、を有することを特徴とする光ピックアップ装置。
【請求項７】
請求項４に記載の収差補正ユニットを備えた光ピックアップ装置であって、
前記互いに対向する第１の電極層の当該分割電極の各々、及び前記互いに対向する第２の電極層の当該分割電極の各々に異なる電圧を印加する電圧印加手段を有することを特徴とする光ピックアップ装置。
【請求項８】
請求項６又は７記載の光ピックアップ装置を備え、前記複数の記録層を有する記録媒体によって情報の記録及び／又は再生を行う記録再生装置であって、
前記記録層からの読取信号に基づいて、光ビームの照射を１の記録層から他の記録層に変更する層間ジャンプ指令を発する指令手段と、
前記層間ジャンプ指令に応答して前記層間ジャンプを行う層間ジャンプ手段と、
前記偏光方向変更素子を制御し、前記層間ジャンプを行う際に前記光ビームの偏光方向を変更せしめるコントローラと、を有することを特徴とする記録再生装置。
【請求項９】
前記コントローラは、前記偏光方向変更素子を制御して前記層間ジャンプ前の偏光方向と略直交する方向に前記光ビームの偏光方向を変更せしめることを特徴とする請求項８記載の記録再生装置。
【請求項１０】
前記コントローラは、前記層間ジャンプ指令に応答して、前記層間ジャンプ前の前記光ビームの偏光方向と略同一方向の配向方向を有する液晶素子への電圧印加を絶つと共に、他方の液晶素子への電圧印加を行うことを特徴とする請求項９記載の記録再生装置。
【発明の詳細な説明】
【０００１】
【発明の属する技術分野】
本発明は、光ディスクなどの情報記録媒体の記録再生装置、及び当該記録再生装置に用いられる収差補正ユニット、光ピックアップ装置に関する。
【０００２】
【従来の技術】
光学的な情報記録又は情報再生のための情報記録媒体として、ＣＤ（Compact disc）、ＤＶＤ（Digital Versatile Disc）等の光ディスクが知られており、再生専用の光ディスク、情報を追記録することが可能な追記型光ディスク、情報の消去及び再記録が可能な書き換え型光ディスク等、種々の光ディスクが開発されている。また、光ディスクの大容量化のため、ＤＶＤ片面読み取り２層ディスク等の、複数の記録層を同一面に有する記録媒体の開発も進められている。
【０００３】
一方、このような光ディスクの高密度化、大容量化に対応するため、高性能な光ピックアップ装置や情報記録再生装置の研究開発が進められている。
上記した光ディスクの高密度化に対応するために、光ピックアップ装置に備えられている対物レンズの開口数（numerical aperture：ＮＡ）を大きくすることにより、照射径の小さな光ビームを光ディスクに照射することが考えられている。また、短波長の光ビームを用いることで、高密度化に対応することが考えられている。
【０００４】
ところが、対物レンズの開口数ＮＡを大きくしたり、短波長の光ビームを用いると、光ディスクによる光ビームへの収差の影響が大きくなり、情報記録及び情報再生の精度を向上させることが困難になる。
例えば、対物レンズの開口数ＮＡを大きくすると、光ディスクに対する光ビームの入射角度範囲が広くなるため、入射角度に依存した量である複屈折量の光ディスク瞳面での分布幅も大きくなる。このため、この複屈折に起因する収差の影響が大きくなる。また、対物レンズの開口数ＮＡを大きくして短波長の光ビームを用いると、情報記録又は情報再生の際に光ディスクが傾いて、光ディスクの法線方向に対する光ビームの入射角度（チルト角）が傾いた場合に、コマ収差の影響が大きくなる。
【０００５】
また、収差は光ディスクの基板厚によっても変化するが、光ディスクの基板厚は一般的に面内分布を有するため、光ディスクの記録又は再生中において収差は変化する。特に、上記した複数の記録層を同一面に有する光ディスクの再生において、ディスク表面と記録層との間の透明基板厚が記録層に応じて異なることにより、１の記録層から他の記録層に読取位置又は記録位置を変更する場合、収差の大きさばかりでなく、光軸に垂直な面内での分布形状も大きく変化する。
【０００６】
上記したような光ディスクの記録又は再生時における収差の影響を低減するため、従来、ネマティック液晶等の液晶を用いた収差補正液晶ユニットが提案されている。このような収差補正用の液晶ユニットとしては、例えば、特開平１０−２０２６３号公報に開示されているものがある。
図１は、上記した収差補正ユニットの一例を模式的に示している。この収差補正ユニットは、互いに対向する透明電極Ａ、Ｂ間にネマティック液晶等の液晶Ｃを挟んだ構造を有し、透明電極Ａ、Ｂ間の印加電圧を調節することで液晶Ｃの配向状態を変化させ、一方の透明電極Ａ（又はＢ）側に入射する光が液晶Ｃ中を通る際に、その光に対して配向状態に応じた複屈折変化を与えて他方の透明電極Ｂ（又はＡ）側に射出するようになっている。
【０００７】
更に、透明電極Ａ、Ｂの少なくとも一方は、例えば、複数の透明電極ａ１、ａ２、ａ３とｂ１、ｂ２、ｂ３に分割して形成され、また透明電極ａ１、ａ２、ａ３同士が電気的に分離されると共に、透明電極ｂ１、ｂ２、ｂ３も互いに電気的に分離されている。
このため、互いに正対関係にある透明電極間、例えば透明電極ａ１、ｂ１間と、透明電極ａ２、ｂ２間と、透明電極ａ３、ｂ３間に、それぞれ異なった電圧を印加すると、液晶Ｃを複数の異なった配向状態に調節することができ、入射する光に対してそれぞれの配向状態に応じた複屈折変化を同時に与えるようになっている。すなわち、液晶素子の上記複数の配向状態を適宜に調節することで、光路中に生じた収差を補正することができる。
【０００８】
尚、上記したように、記録又は再生時において、基板厚が変化することに起因して光軸に垂直な面内の位置によって収差が変化する場合がある。さらに、記録層を変更することによって収差が変化する場合がある。
【０００９】
【発明が解決しようとする課題】
上記したように、従来の収差補正ユニットでは、液晶の各電極に与える電圧を変化させることで光学系の光路中に生じた収差の補正を行っていた。しかしながら、収差補正に用いられるネマティック液晶等の液晶は応答速度が遅いため、記録又は再生時における収差を高速に補正することが困難であった。
【００１０】
本発明は、こうした従来技術の課題を克服するためになされたものであり、その目的とするところは、高速な収差補正が可能で高性能な収差補正ユニット、光ピックアップ装置及び記録再生装置を提供することにある。
【００１１】
【課題を解決するための手段】
本発明による収差補正ユニットは、記録媒体に光ビームを照射し、記録媒体によって反射された反射光を導く光学系の光路中において生じた収差を補正する収差補正ユニットであって、所定の配向方向を有し、互いに対向する電極層間に設けられて電極層への電圧の印加により通過する光に対して位相変化を生じせしめる液晶を含む液晶素子と、光ビームの光源及び液晶素子間の光路中に配されて光ビームの偏光方向を変更せしめる偏光方向変更素子と、を有することを特徴としている。
【００１２】
また、本発明による収差補正ユニットは、記録媒体に光ビームを照射し、記録媒体によって反射された反射光を導く光学系の光路中において生じた収差を補正する収差補正ユニットであって、所定の配向方向を有し、互いに対向する電極層間に設けられて電極層への電圧の印加により通過する光に対して位相変化を生じせしめる液晶を含む液晶素子と、光ビームの光源及び液晶素子間の光路中に配されて光ビームの偏光方向を変更せしめる偏光方向変更素子と、偏光方向変更素子を制御して所定のタイミングで光ビームの偏光方向を変更せしめるコントローラと、を有することを特徴としている。
【００１３】
本発明による光ピックアップ装置は、上記収差補正ユニットを備えた光ピックアップ装置であって、光ビームを発する光源と、記録媒体によって反射され収差補正ユニットを透過した光ビームを検出する光検出器と、を有することを特徴としている。
本発明による記録再生装置は、上記光ピックアップ装置を備え、複数の記録層を有する記録媒体から記録情報を読み取って再生する記録再生装置であって、
光ビームの照射を１の記録層から他の記録層に変更する層間ジャンプを行う層間ジャンプ手段と、偏光方向変更素子を制御し、層間ジャンプを行う際に光ビームの偏光方向を変更せしめるコントローラと、を有することを特徴としている。
【００１４】
さらに、本発明による収差補正ユニットは、記録媒体に光ビームを照射し、記録媒体によって反射された反射光を導く光学系の光路中において生じた収差を補正する収差補正ユニットであって、第１の配向方向を有し、互いに対向する第１の電極層間に設けられて第１の電極層への電圧の印加により通過する光に対して位相変化を生じせしめる液晶を含む第１の液晶素子と、第１の配向方向と略直交する第２の配向方向を有し、互いに対向する第２の電極層間に設けられて第２の電極層への電圧の印加により通過する光に対して位相変化を生じせしめる液晶を含む第２の液晶素子と、光ビームの光源と第１及び第２の液晶素子との間の光路中に配されて光ビームの偏光方向を変更せしめる偏光方向変更素子と、を有することを特徴としている。
【００１５】
本発明による光ピックアップ装置は、上記収差補正ユニットを備えた光ピックアップ装置であって、光ビームを発する光源と、記録媒体によって反射され収差補正ユニットを透過した光ビームを検出する光検出器と、を有することを特徴としている。
本発明による記録再生装置は、上記光ピックアップ装置を備え、複数の記録層を有する記録媒体によって情報の記録及び／又は再生を行う記録再生装置であって、記録媒体からの読取信号に基づいて、光ビームの照射を１の記録層から他の記録層に変更する層間ジャンプ指令を発する指令手段と、層間ジャンプ指令に応答して層間ジャンプを行う層間ジャンプ手段と、偏光方向変更素子を制御し、層間ジャンプを行う際に光ビームの偏光方向を変更せしめるコントローラと、を有することを特徴としている。
【００１６】
【発明の実施の形態】
本発明の実施例を図面を参照しつつ詳細に説明する。
［第１の実施例］
図２は、情報記録再生装置に設けられた収差補正装置１０の構成を模式的に示す図である。以下においては、２つの記録層を同一面に有する２層ディスクの記録又は再生を行う収差補正装置１０の場合を例に説明する。
【００１７】
図２において、光ピックアップ装置（ＰＵ）は、レーザ光Ｈ１を射出する光源１と、ビームスプリッタ３、収差補正ユニット４、対物レンズ５、集光レンズ６、光検出器７を備えて構成され、これらの光学要素１〜７は光軸ＯＡに沿って配置されている。
光ピックアップ内のレーザ光源１から照射された光ビームＨ１は光ディスク９により反射され、反射光は光検出器７で検出される。検出されたＲＦ信号はＲＦ振幅強度検出器１１（以下、単にＲＦ振幅検出器と称する）に送られる。ＲＦ振幅検出器１１は、受け取ったＲＦ信号の包絡線を検出してＲＦ振幅信号として制御部１２に送出する。制御部１２は、受信したＲＦ振幅信号に基づいて、収差補正ユニット４を駆動する液晶駆動部１４に制御信号を供給する。液晶駆動部１４は、当該制御信号に応じて収差補正ユニット４に印加すべき駆動電圧を生成し、収差補正ユニット４へ供給する。光ピックアップ駆動部８は、制御部１２からの制御信号に基づいて光ピックアップのフォーカス／トラッキングサーボ制御を行う。また、制御部１２は偏光方向変更判別部１３を有し、その判別結果に基づいて液晶駆動部１４及び光ピックアップ駆動部８を制御する。
【００１８】
以下に、図を参照して収差補正ユニット４の構成について説明する。図３は、収差補正ユニット４の構成を模式的に示す分解組立図である。図に示すように、この収差補正ユニット４は、液晶素子２０，３０及び偏光方向変更素子４０から構成されている。すなわち、光源１から射出されビームスプリッタ３を透過した照射光ビームは、順に偏光方向変更素子４０、液晶素子２０、３０を経て、対物レンズ５に導かれる。
【００１９】
液晶素子２０は、図４の断面図に示すように、電界によって電気光学効果を生じる液晶を有している。より具体的には、液晶駆動部１４によって印加される印加電圧の大きさに応じて複屈折変化をもたらすネマティック液晶等の液晶２１を有している。すなわち、この液晶素子２０は、図３及び図４に示すように、互いに対向する２つの電極部２２Ａ、２２Ｂの間に液晶２１が挟まれ封入された構成を有している。より詳細には、液晶２１の両側には、それぞれ液晶配向膜２３Ａ、２３Ｂ、絶縁層２４Ａ、２４Ｂ、電極２５Ａ、２５Ｂ、及び透明なガラス基板等の絶縁基板２６Ａ、２６Ｂが順次形成されている。また、液晶素子２０は、図３に示すように、収差補正ユニット４への入射光ビームの偏光方向と略同一方向の配向を有するように形成されている。
【００２０】
電極２５Ａ、２５Ｂのうち少なくとも１つは、光路中に生じた収差を補正するための複数の分割電極から構成され、各分割電極には収差の大きさ及び分布形状に応じた電圧が印加されるようになっている。前述のように、読取又は記録を行う記録層を変更する（以下、層間ジャンプと称する）場合、ディスク表面と記録層との間の透明基板厚が記録層に応じて異なることに起因して、収差の大きさや光軸に垂直な面内での分布形状も大きく変化する。
【００２１】
図５は、２層ディスク５０の構造を模式的に示す断面図である。２層ディスク５０は、射出成形した２枚の基板を信号面を向かい合わせて張り合わせた構造を有している。読み取り側から見て１層目はレイヤ０（Ｌ０）、２層目はレイヤ０（Ｌ１）と呼ばれる。すなわち、より詳細には、読み取り側から順に、Ｌ０基板５２、Ｌ０反射膜５３、スペーサ層５４、Ｌ１反射膜５５、及びＬ１基板５６が形成されている。
【００２２】
Ｌ０反射膜５３は、光ビームがレイヤ０を透過してレイヤ１の信号を読みとれるように半透明膜として形成され、例えば、金（Ａｕ）や誘電体などで形成される。Ｌ１反射膜５５は高反射率を有し、例えば、単層ディスクと同様にアルミニウム（Ａｌ）などで形成される。信号面を一定の厚さで分離するためにレイヤ０及びレイヤ１間に設けられるスペーサ層５４は、読み取り光の光路となるため、読み取り光の波長帯での透過率が高く、基板の屈折率に近い屈折率を有する材料、例えば、紫外線硬化樹脂材料が用いられる。従って、照射光ビームの焦点を深さ方向で移動（層間ジャンプ）させることでＬ０及びＬ１のいずれの信号も読み出すことができる。
【００２３】
図６は、上記した２層ディスク５０の記録又は再生を行う場合に、光ディスクにより発生する収差のうち、その主たる収差である球面収差の光軸に垂直な面内における分布を基板厚（すなわち、記録層の深さ）の各々に対して示したものである。Ｌ１反射膜５５に光ビームを照射する場合、すなわち基板が厚い場合は、収差は、光路の中心部で小さく最外周部分を除き外側に向うに従い増加する。一方、Ｌ０反射膜５３に光ビームを照射する場合、すなわち基板が薄い場合は、光路の中心部から外側に向うに従い減少する。
【００２４】
液晶素子２０の電極２５Ａは、上記した球面収差のうちレイヤ０に光ビームを照射した場合に生じる球面収差を補正するように電極が分割され、各分割電極に所定の電圧が印加できるようになっている。
図７は、光ディスク９のレイヤ０に光ビームを照射した場合に生じる球面収差を補正するための電極２５Ａの１例を模式的に示す上面図である。電極２５Ａは、収差補正領域（ＡＲ１〜ＡＲｉ）に対応する複数の透明電極Ａ１〜Ａｉを有する。すなわち、図４及び図７に示すように、電極２５Ａは、互いに電気的に分離して形成された透明電極Ａ１〜Ａｉと、各透明電極Ａ１〜Ａｉ間に複数存在する間隙Ｗ１〜Ｗｉとからなる構造を有している。より詳細には、透明電極Ａ１は、収差補正領域ＡＲ１に合わせた形状（図７の場合では、円形状）に形成され、透明電極Ａ２〜Ａｉは、それぞれ収差補正領域ＡＲ２〜ＡＲｉに合わせた形状（図７の場合では、円環状）に形成されている。また、透明電極Ａ１〜Ａｉを分離している間隙Ｗ１〜Ｗｉは、円環状に形成されている。尚、各透明電極Ａ１〜Ａｉは、例えば、ＩＴＯ（インジウム錫酸化物）層で形成することができる。
【００２５】
一方、電極２５Ｂも同様に、互いに電気的に分離して形成された透明電極Ｂ１〜Ｂｉと、各透明電極Ｂ１〜Ｂｉ間に複数存在する間隙Ｗ１〜Ｗｉからなる構造を有している。
電極２５Ａ、２５Ｂに駆動電圧ＶN1（＝ＶN1(ｊ)、ｊ＝１〜ｉ）を印加することによって、その駆動電圧ＶN1によって生じる電界ＥN1に応じて液晶２１内の液晶分子の配向が変化する。その結果、液晶２１中を通る光は複屈折を受けて位相が変化する。すなわち、液晶２１を透過する光ビームの位相は、液晶２１に印加される駆動電圧ＶN1によって制御することができる。また、この液晶素子２０は、双方向の光透過性及び複屈折性を有しており、絶縁基板２３Ａ、２３Ｂのどちら側を対物レンズ５側に向けて配置してもよいようになっている。
【００２６】
尚、一方の電極、例えば電極２５Ａが分離された複数の電極として形成されていれば、電極２５Ｂは分離されている必要はない。例えば、全面電極としてもよく、あるいは補正すべき収差の特徴等に応じて必要な形状に形成、又は必要な数に分離して形成してもよい。
液晶素子３０は、液晶素子２０と同様な構成を有している。すなわち、互いに対向する２つの電極部３２Ａ、３２Ｂの間にネマティック液晶等の液晶３１が挟まれ封入された構成を有し、電極部３２Ａ、３２Ｂのうち少なくとも１つは、光路中に生じた収差を補正するための複数の分割電極を有している。液晶素子３０の電極部３２Ａ、３２Ｂは、上記した球面収差のうちレイヤ１に光ビームを照射した場合に生じる球面収差を補正するのに適合した複数の分割電極が形成され、各分割電極には所定の電圧が印加できるようになっている。従って、電極部３２Ａ、３２Ｂに駆動電圧ＶN2（＝ＶN2(ｊ)、ｊ＝１〜ｋ）が印加されると、その駆動電圧ＶN2によって生じる電界ＥN2に応じて液晶３１内の液晶分子の配向が変化する。その結果、液晶３１中を透過する光ビームは液晶３１による複屈折を受けて位相が変化する。すなわち、液晶２１中を透過する光ビームの位相は、液晶３１に印加される駆動電圧ＶN2によって制御することができる。
【００２７】
液晶素子３０は、図３に示すように、収差補正ユニット４への入射光ビームの偏光方向、すなわち、液晶素子２０の配向方向と略垂直方向の配向を有するように配置されている。従って、例えば、液晶素子３０は、液晶素子２０と同様な液晶素子を液晶素子２０に対して光路の光軸（ＯＡ）の周りに略９０°回転させて用いてもよい。
【００２８】
偏光方向変更素子４０は、図８の断面図に示すように、電界の印加によって入射光ビームの偏光方向を変化させる液晶４１が互いに対向する２つの電極部４２Ａ、４２Ｂの間に封入されている。液晶４１は、液晶素子２０，３０に用いられるネマティック液晶等に比べて応答速度の速い強誘電性液晶である。強誘電性液晶４１上には、それぞれ液晶配向膜４３Ａ、４３Ｂ、絶縁層４４Ａ、４４Ｂ、電極４５Ａ、４５Ｂ、及び透明なガラス基板等の絶縁基板４６Ａ、４６Ｂが順次形成されている。電極４５Ａ、４５Ｂは共に液晶４１のほぼ全面に渡る領域に形成された全面電極である。
【００２９】
偏光方向変更素子４０は、電極４５Ａ、４５Ｂへの所定電圧（ＶF）の印加によって入射光ビームの偏光方向を略９０°回転させるように構成されている。より具体的には、電極４５Ａ、４５Ｂに電圧を印加しない場合、偏光方向変更素子４０に入射した光ビームの偏光は変化せず、そのまま偏光方向変更素子４０を透過する。一方、電極４５Ａ、４５Ｂに所定電圧ＶFを印加した場合には、入射した光ビームは偏光方向変更素子４０を透過する際に、その偏光方向は略９０°回転する。
【００３０】
次に、本実施例における収差補正について、図９に示すフローチャートを参照しつつ詳細に説明する。
このフローチャートは、２層ディスクの記録又は再生を行う場合の収差補正サーボ制御の手順を示している。この手順は、例えば、光ディスク９の記録又は再生を行う際のセットアップ終了後に制御部１２によって実行される。尚、以下では説明の簡便さのため、レイヤ０（Ｌ０）からサーボ制御を開始する場合を例に説明する。
【００３１】
まず、制御部１２は、液晶素子２０及び液晶素子３０の各々に所定の電圧ＶN1（＝ＶN1(ｊ)、ｊ＝１〜ｉ）及びＶN2（＝ＶN2(ｊ)、ｊ＝１〜ｋ）を印加する（ステップＳ１１）。
次に、収差補正ユニット４をレイヤ０に対するサーボ制御に適合するように設定を行う（ステップＳ１２）。すなわち、偏光方向変更素子４０への印加電圧をオフ（ＶF＝０）の状態にする。これにより、偏光方向変更素子４０に入射する光ビーム（レーザ光源からの出射光ビーム）は偏光方向の回転を受けることなくそのまま偏光方向変更素子４０を透過する。
【００３２】
上記した設定によって、レーザ光ビームと略同一方向の偏光方向を有する光ディスクからの反射光ビームは、当該偏光方向と略垂直方向に配向された液晶素子３０によっては位相変化を受けることなくそのまま透過する。液晶素子３０を透過した反射光ビームは、当該偏光方向と略同一方向に配向された液晶素子２０によって位相変化を受け、収差が補正される。すなわち、レイヤ０からの反射によって生じた収差は、当該収差の補正に適合して構成された液晶素子２０によって補正される。
【００３３】
次に、ＲＦ振幅値をＲＦ振幅検出器１１から取り込み（ステップＳ１３）、取り込んだＲＦ振幅値の大きさに基づいてフォーカス及びトラッキング調整を行う（ステップＳ１４）。
制御部１２内の偏光方向変更判別部１３は、光ディスクから読み取ったＲＦデータ信号を処理するＲＦ信号処理部（図示しない）からのデータに基づいて層間ジャンプを行うか否かを判別する（ステップＳ１５）。制御部１２は偏光方向変更判別部１３において、層間ジャンプを行わないと判別された場合には、更に、サーボ制御を終了するか否かを判別する（ステップＳ１６）。サーボ制御を終了しない場合にはステップＳ１３に戻り、フォーカス及びトラッキング調整を繰り返す。一方、サーボ制御を終了する場合は、本ルーチンを抜ける。なお、偏光方向変更判別部１３は、層間ジャンプのタイミングを判別可能な手段であればよく、例えば、ＴＯＣ情報として読み取って予め記憶しておいたデータ、あるいは、データ読み取りを行いつつ読み取ったデータ信号中に現れた層間ジャンプを示すデータに基づいて層間ジャンプのタイミングを判別してもよい。
【００３４】
ステップＳ１５において、層間ジャンプを行うと判別された場合には、更に、レイヤ０からレイヤ１への層間ジャンプであるかを判別する（ステップＳ１７）。レイヤ１への層間ジャンプである場合には、収差補正ユニット４をレイヤ１に対するサーボ制御に適合するように設定を行う（ステップＳ１８）。すなわち、偏光方向変更素子４０に所定電圧を印加し（ＶF＝ＯＮ）、偏光方向変更素子４０に入射する光ビームの偏光方向を略９０°回転させる。これによって、レーザ光ビームと略垂直方向の偏光方向を有する光ディスクからの反射光ビームは液晶素子３０によって位相変化を受け、収差が補正される。収差補正がなされた光ビームは、液晶素子２０によっては位相変化を受けることなくそのまま透過する。すなわち、レイヤ１からの反射によって生じた収差は、当該収差の補正に適合して構成された液晶素子３０によって補正される。
【００３５】
ステップＳ１７において、レイヤ０からレイヤ１への層間ジャンプでない（すなわち、レイヤ１からレイヤ０への層間ジャンプである）と判別された場合には、ステップＳ１２に戻り、以降のステップを繰り返す。
上記した手順により、層間ジャンプに応じて照射光ビームの偏光方向を切り替えることにより収差補正を高速に行うことができる。
［第２の実施例］
図１０は、本発明の第２の実施例である収差補正ユニットの構成を模式的に示す分解組立図である。図に示すように、この収差補正ユニット４は、偏光方向変更素子４０及び１つの液晶素子６０から構成されている。
【００３６】
液晶素子６０は、液晶素子２０と同様な構成を有している。すなわち、互いに対向する２つの電極部６２Ａ、６２Ｂの間にネマティック液晶等の液晶６１が封入され、電極部６２Ａ、６２Ｂのうち少なくとも１つは、光路中に生じた収差を補正するのに適合した複数の分割電極を有している。この分割電極は所望の補正すべき収差の特徴等に応じた形状に形成、又は必要な数に分離して形成されていればよい。また、液晶素子６０の液晶６１は入射光ビームの偏光方向と略垂直方向の配向を有するように形成されている。
【００３７】
従って、液晶素子６０の各分割電極に所望の収差を補正するための電圧を印加した状態において、偏光方向変更素子４０への所定電圧（ＶF）をオフからオンに切り替えることによって当該収差が発生した場合に収差補正を高速に行うことが可能である。
なお、上記実施例においては、ＤＶＤ光ディスクの場合を例に、読取側表面から記録層までを透明基板厚又は単に基板厚と称したが、一般的には「基板」に限定されない。すなわち、光ディスクの読取側において記録層上に設けられたカバー層、透明層等の、照射時に光ビームが透過する層を意味する。
【００３８】
【発明の効果】
上記したことから明らかなように、本発明によれば、高速な収差補正が可能で高性能な収差補正ユニット、光ピックアップ装置及び記録再生装置を実現できる。
【図面の簡単な説明】
【図１】従来の収差補正ユニットの一例を模式的に示す図である。
【図２】情報記録再生装置に設けられた収差補正装置の構成を示すブロック図である。
【図３】本発明の第１の実施例による収差補正ユニットの構成を模式的に示す分解組立図である。
【図４】図３に示した液晶素子２０の構成を模式的に示す断面図である。
【図５】２層ディスクの構造を模式的に示す図である。
【図６】２層ディスクにおいて生じる球面収差の光軸に垂直な面内における分布をＬ０、Ｌ１層に対して示す図である。
【図７】レイヤ０に光ビームを照射した場合に生じる球面収差を補正するための電極構造の１例を模式的に示す上面図である。
【図８】偏光方向変更素子の構成を模式的に示す断面図である。
【図９】２層ディスクの記録又は再生を行う場合の収差補正サーボ制御の手順を示すフローチャートである。
【図１０】本発明の第２の実施例である収差補正ユニットの構成を模式的に示す分解組立図である。
【主要部分の符号の説明】
４  収差補正ユニット
８  光ピックアップ駆動部
９  光ディスク
１１  ＲＦ振幅検出器
１２  制御部
１３  偏光方向変更判別部
１４  駆動部
２０，３０，６０  液晶素子
２１，３１，６１  液晶
４０  偏光方向変更素子
４１  強誘電性液晶
５２  Ｌ０基板
５４  スペーサ層
５６  Ｌ１基板
【図１】
0004136273.tif 000002
【図２】
0004136273.tif 000003
【図３】
0004136273.tif 000004
【図４】
0004136273.tif 000005
【図５】
0004136273.tif 000006
【図６】
0004136273.tif 000007
【図７】
0004136273.tif 000008
【図８】
0004136273.tif 000009
【図９】
0004136273.tif 000010
【図１０】
0004136273.tif 000011